(57)【特許請求の範囲】
【請求項１】
デジタル放送の放送局からの放送波に基づいて、選局された番組のトランスポートストリームを出力するチューナ部と、
前記チューナ部より出力された前記トランスポートストリームから映像トランスポートストリーム及び音声トランスポートストリームを分離するデマルチプレクス部と、
前記デマルチプレクス部で分離された前記映像トランスポートストリーム及び前記音声トランスポートストリームのデコードを行ない、映像信号及び音声信号を出力するデコード部と、
前記放送局とその系列局とを対応付けて記憶する系列局情報に、前記放送局及び前記系列局を選局するために必要な選局情報と、前記放送局及び前記系列局が放送を行っている受信サービス領域とをさらに対応付けて記憶する系列局記憶部、及び、過去の移動履歴に基づいて、次に移動する可能性がある複数の受信サービス領域を、優先順位を付けて、受信サービス領域毎に示す切替履歴情報を記憶する切替履歴記憶部を有する記憶部と、
視聴中の番組を放送している放送局の受信サービス領域から他の受信サービス領域に移動したことにより、受信信号が現状受信不可となった場合には、移動先の受信サービス領域を前記切替履歴情報に基づいて推定し、
移動前に視聴されていた放送局の系列局のうち、前記推定された移動先の受信サービス領域で選局することができる移動先地域受信可系列局を前記系列局情報より特定し、
前記チューナ部に対して前記移動先地域受信可系列局を優先的に選局させる選局制御部と、を備えること
を特徴とするデジタル放送受信装置。
【請求項２】
請求項１に記載のデジタル放送受信装置であって、
ある受信サービス領域を特定する情報と、当該受信サービス領域に隣接する他の受信サービス領域を特定する情報とを対応づけた隣接地域情報を記憶する隣接地域記憶部をさらに備え、
前記選局制御部は、
前記移動先地域受信可系列局を選局できなかった場合に、前記視聴中の番組を放送している放送局の受信サービス領域に隣接する隣接受信サービス領域を、前記隣接地域情報に基づいて推定する隣接受信サービス領域推定処理を行い、
前記推定された隣接受信サービス領域で選局することができる、前記視聴中の番組を放送している放送局の系列局を、隣接地域受信可系列局として前記系列局情報から特定する隣接地域受信可系列局特定処理を行い、
前記隣接地域受信可系列局特定処理によって特定した前記隣接地域受信可系列局の選局を優先的に行う
ことを特徴とするデジタル放送受信装置。
【請求項３】
請求項２に記載のデジタル放送受信装置であって、
現状受信可状態である前記移動先地域受信可系列局が選局できなかった場合、又は、現状受信可状態である前記隣接地域受信可系列局が選局できなかった場合に、前記選局制御部は、
未選局であるチャンネルに対して順次サーチを行って現状受信可状態である放送局を検出するチャンネルサーチ処理を行い、
前記チャンネルサーチ処理により見つかった現状受信可状態である放送局が、前記視聴中の番組を放送している放送局の系列局ではなかった場合には、前記チャンネルサーチ処理により見つかった、現状受信可状態である放送局の受信信号から取得した受信サービス領域を現在受信サービス領域として推定する現在受信サービス領域推定処理を行い、
前記推定された現在受信サービス領域で選局することができる、前記視聴中の番組を放送している放送局の系列局を、現在地域受信可系列局として前記系列局情報から特定する現在地域受信可系列局特定処理を行い、
前記現在地域受信可系列局特定処理によって特定した前記現在地域受信可系列局の選局を優先的に行う
ことを特徴とするデジタル放送受信装置。
【請求項４】
請求項１から３の何れか１項に記載のデジタル放送受信装置であって、
直前に選局された放送局が放送を行う受信サービス領域を示す情報を、直前受信サービス領域として記憶する直前受信サービス領域記憶部をさらに備え、
前記選局制御部は、
ある系列局に切り替わった後に、さらにその受信信号が現状受信不可になった場合には、
系列局に切り替えた後に現状受信可状態に一度もなったことが無い場合には、現在選局中の放送局の受信サービス領域と前記直前受信サービス領域との境界部分に、現在位置が含まれていると判断する、直前受信サービス領域境界付近判定処理を行い、
前記直前受信サービス領域境界付近判定処理によって、前記現在位置が前記境界部分に含まれていると判断した場合は、前記直前受信サービス領域記憶部から前記直前受信サービス領域を取得し、
この直前受信サービス領域における前記選局中の放送局の系列局を、直前受信可系列局として前記系列局情報から特定する直前受信可系列局特定処理を行い、
前記直前系列局受信可特定処理によって特定した前記直前受信可系列局情報を優先的に選局する
ことを特徴とするデジタル放送受信装置。
【請求項５】
請求項１から４の何れか１項に記載のデジタル放送受信装置であって、
前記受信サービス領域を特定する情報として、ＰＳＩ／ＳＩの中のＮＩＴ／ＳＤＴ／ＰＡＴセクションにおけるｓｖ＿ｉｄの値から取得した地域識別コードの値、又は、ＮＩＴセクションで伝送される地上分配記述子に含まれるａｒｅａ＿ｃｏｄｅのフィールドの値を用いることを特徴とするデジタル放送受信装置。
【請求項６】
請求項１から４の何れか１項に記載のデジタル放送受信装置であって、
前記受信サービス領域を特定する情報として、
ｏｒｉｇｉｎａｌ＿ｎｅｔｗｏｒｋ＿ｉｄ、及び、ｎｅｔｗｏｒｋ＿ｉｄの値を用いることを特徴とするデジタル放送受信装置。
【請求項７】
デジタル放送の放送局からの放送波に基づいて、選局された番組のトランスポートストリームを出力するトランスポートストリーム出力ステップと、
前記トランスポートストリーム出力ステップで出力された前記トランスポートストリームから映像トランスポートストリーム及び音声トランスポートストリームを分離するデマルチプレクスステップと、
前記デマルチプレクスステップで分離された前記映像トランスポートストリーム及び前記音声トランスポートストリームのデコードを行い、映像信号及び音声信号を出力するデコードステップと、
前記放送局とその系列局とを対応付けて記憶する系列局情報に、前記放送局及び前記系列局を選局するために必要な選局情報と、前記放送局及び前記系列局が放送を行っている受信サービス領域とをさらに対応付けて記憶する系列局記憶ステップ、及び、過去の移動履歴に基づいて、ある受信サービス領域から次に移動する可能性がある複数の前記受信サービス領域を優先順位を付けて切換履歴情報として記憶する切替履歴記憶ステップを含む記憶ステップと、
視聴中の番組を放送している放送局の受信サービス領域から他の受信サービス領域に移動したことにより、受信信号が現状受信不可となった場合には、移動先の受信サービス領域を前記切替履歴情報に基づいて推定し、
移動前に視聴されていた放送局の系列局のうち、前記推定された移動先の受信サービス領域で選局することができる移動先地域受信可系列局を前記系列局情報より特定し、
前記移動先地域受信可系列局を優先的に選局する選局制御ステップと、
を有することを特徴とするデジタル放送受信方法。
【請求項８】
請求項７に記載のデジタル放送受信方法であって、
ある受信サービス領域を特定する情報と、当該受信サービス領域に隣接する他の受信サービス領域を特定する情報とを対応づけた隣接地域情報を隣接地域記憶手段に記憶させる隣接地域記憶ステップをさらに備え、
前記選局制御ステップは、
前記移動先地域受信可系列局を選局できなかった場合に、前記視聴中の番組を放送している放送局の受信サービス領域に隣接する隣接受信サービス領域を、前記隣接地域情報に基づいて推定する隣接受信サービス領域推定処理を行うステップと、
前記推定された隣接受信サービス領域で選局することができる、前記視聴中の番組を放送している放送局の系列局を、隣接地域受信可系列局として前記系列局情報から特定する隣接地域受信可系列局特定処理を行うステップと、
前記隣接地域受信可系列局特定処理によって特定した前記隣接地域受信可系列局の選局を優先的に行うステップと
を有することを特徴とするデジタル放送受信方法。
【請求項９】
請求項８に記載のデジタル放送受信方法であって、
現状受信可状態である前記移動先地域受信可系列局が選局できなかった場合、又は、現状受信可状態である前記隣接地域受信可系列局が選局できなかった場合に、前記選局制御ステップにおいて、
未選局であるチャンネルに対して順次サーチを行って現状受信可状態である放送局を検出するチャンネルサーチ処理を行い、
前記チャンネルサーチ処理により見つかった現状受信可状態である放送局が、前記視聴中の番組を放送している放送局の系列局ではなかった場合には、前記チャンネルサーチ処理により見つかった、現状受信可状態である放送局の受信信号から取得した受信サービス領域を現在受信サービス領域として推定する現在受信サービス領域推定処理を行い、
前記推定された現在受信サービス領域で選局することができる、前記視聴中の番組を放送している放送局の系列局を、現在地域受信可系列局として前記系列局情報から特定する現在地域受信可系列局特定処理を行い、
前記現在地域受信可系列局特定処理によって特定した前記現在地域受信可系列局の選局を優先的に行う
を行うことを特徴とするデジタル放送受信方法。
【請求項１０】
請求項７から９の何れか１項に記載のデジタル放送受信方法であって、
直前に選局された放送局が放送を行う受信サービス領域を示す情報を、直前受信サービス領域として直前受信サービス領域記憶手段に記憶させる直前受信サービス領域記憶ステップをさらに備え、
前記選局制御ステップにおいて、
ある系列局に切り替わった後に、さらにその受信信号が現状受信不可になった場合には、
系列局に切り替えた後に現状受信可状態に一度もなったことが無い場合には、現在選局中の放送局の受信サービス領域と前記直前受信サービス領域との境界部分に、現在位置が含まれていると判断する、直前受信サービス領域境界付近判定処理を行い、
前記直前受信サービス領域境界付近判定処理によって前記現在位置が前記境界部分に含まれていると判断した場合は、前記直前受信サービス領域記憶部から前記直前受信サービス領域を取得し、
この直前受信サービス領域における前記選局中の放送局の系列局を、直前受信可系列局として前記系列局情報から特定する直前受信可系列局特定処理を行い、
前記直前系列局受信可特定処理によって特定した前記直前受信可系列局情報を優先的に選局する
ことを特徴とするデジタル放送受信方法。
【請求項１１】
請求項７から１０の何れか１項に記載のデジタル放送受信方法であって、
前記受信サービス領域を特定する情報として、ＰＳＩ／ＳＩの中のＮＩＴ／ＳＤＴ／ＰＡＴセクションにおけるｓｖ＿ｉｄの値から取得した地域識別コードの値、又は、ＮＩＴセクションで伝送される地上分配記述子に含まれるａｒｅａ＿ｃｏｄｅのフィールドの値を用いることを特徴とするデジタル放送受信方法。
【請求項１２】
請求項７から１０の何れか１項に記載のデジタル放送受信方法であって、
装置前記受信サービス領域を特定する情報として、ｏｒｉｇｉｎａｌ＿ｎｅｔｗｏｒｋ＿ｉｄ及びｎｅｔｗｏｒｋ＿ｉｄの値を用いることを特徴とするデジタル放送受信方法。
【発明の詳細な説明】
【技術分野】
【０００１】
本発明は、デジタル放送を受信する技術に関する。
【背景技術】
【０００２】
従来、デジタル放送を受信する受信装置が移動され、受信装置で視聴中の番組の受信が受信レベル低下等の理由から不可能になった場合には、視聴者は、受信装置に対してマニュアル操作を行い、その時点において「現在位置が受信サービス領域内である場合に受信可能となる放送局」を一局ずつチャンネルサーチし、視聴者自身で番組内容が同一であるか、つまりサーチされた放送局が「系列局」であるかを判断する必要があった。そして、チャンネルサーチで検出された放送局が視聴中の番組と同じではない場合には、再度チャンネルサーチを行い、次の放送局を検出する処理を繰り返すという煩雑な処理を実施する必要があった。
【０００３】
以上のような煩雑な処理を改善するために、例えば、特許文献１には、異なるエリアにおいて異なる周波数帯で放送されている同一の番組放送を切替受信する受信部と、受信部における前記番組放送の周波数帯の切替履歴を記憶する記憶部と、受信装置があるエリアから他のエリアに移動する場合、記憶部に記憶された切替履歴に基づいて、受信部に異なる周波数帯の前記番組放送を切替受信させる制御部と、を有する受信装置が記載されている。そして、特許文献１に記載された受信装置では、受信装置が第１エリアから第２エリアに移動する場合、制御部は、記憶部に記憶された切替履歴に基づいて、同一の番組放送である確率が最も高い異なる周波数帯を選択ことで、受信部が同一の番組放送を再び受信可能となるまでの時間を短縮するようにしている。
【先行技術文献】
【特許文献】
【０００４】
【特許文献１】特開２００７−１２９３８９号公報（段落００１０〜００２３、第２図）
【発明の概要】
【発明が解決しようとする課題】
【０００５】
しかしながら、引用文献１に記載の受信装置では、放送局の切替を行った履歴を基に、切り替え頻度の高い放送局を系列局の候補を決定するため、視聴する機会の少ない放送局については切替履歴がほとんど記憶されておらず、その放送局を選局して同一番組を視聴しようとする場合には、視聴不可能期間の短縮効果が得られなかった。
【０００６】
そこで、本発明は、受信可能な系列局を発見する時間を短縮し、番組の視聴中断時間を短くすることのできる技術を提供することを目的とする。
【課題を解決するための手段】
【０００７】
本発明の一態様に係るデジタル放送受信装置は、デジタル放送の放送局からの放送波に基づいて、選局された番組のトランスポートストリームを出力するチューナ部と、前記チューナ部より出力された前記トランスポートストリームから映像トランスポートストリーム及び音声トランスポートストリームを分離するデマルチプレクス部と、前記デマルチプレクス部で分離された前記映像トランスポートストリーム及び前記音声トランスポートストリームのデコードを行ない、映像信号及び音声信号を出力するデコード部と、前記放送局とその系列局とを対応付けて記憶する系列局情報に、前記放送局及び前記系列局を選局するために必要な選局情報と、前記放送局及び前記系列局が放送を行っている受信サービス領域とをさらに対応付けて記憶する系列局記憶部、及び、過去の移動履歴に基づいて、次に移動する可能性がある受信サービス領域を、優先順位を付けて、受信サービス領域毎に示す切替履歴情報を記憶する切替履歴記憶部を有する記憶部と、視聴中の番組を放送している放送局の受信サービス領域から他の受信サービス領域に移動したことにより、受信信号が現状受信不可となった場合には、移動先の受信サービス領域を前記切替履歴情報に基づいて推定し、移動前に視聴されていた放送局の系列局のうち、前記推定された移動先の受信サービス領域で選局することができる移動先地域受信可系列局を前記系列局情報より特定し、前記チューナ部に対して前記移動先地域受信可系列局を優先的に選局させる選局制御部と、を備えることを特徴としている。
【発明の効果】
【０００８】
以上のように、本発明によれば、受信可能な系列局を発見する時間を短縮し、番組の視聴中断時間を短くすることができる。
【図面の簡単な説明】
【０００９】
【図１】実施の形態１に係るデジタル放送受信装置の概略ブロック図。
【図２】実施の形態１における系列局情報テーブルの概略図。
【図３】実施の形態１における切替履歴情報テーブルの概略図。
【図４】（ａ）及び（ｂ）は、実施の形態１におけるデジタル放送受信装置が受信サービス領域を移動する際に選択される系列局の一例を示す概略図。
【図５】実施の形態１における選局制御部での処理を示すフローチャート（その１）。
【図６】実施の形態１における選局制御部での処理を示すフローチャート（その２）。
【図７】実施の形態１の変形例における切替履歴情報テーブル及び系列局情報テーブルの概略図。
【図８】実施の形態１における系列局情報テーブルの変形例の概略図。
【図９】実施の形態１における選局制御部での処理の変形例を示すフローチャート。
【図１０】実施の形態２に係るデジタル放送受信装置の概略ブロック図。
【図１１】実施の形態２における隣接地域情報テーブルの概略図。
【図１２】実施の形態２における隣接地域の具体例を示す概略図。
【図１３】実施の形態２における選局制御部での処理を示すフローチャート（その１）。
【図１４】実施の形態２における選局制御部での処理を示すフローチャート（その２）。
【図１５】実施の形態３に係るデジタル放送受信装置の概略ブロック図。
【図１６】実施の形態３における選局制御部での処理を示すフローチャート（その１）。
【図１７】実施の形態３における選局制御部での処理を示すフローチャート（その２）。
【図１８】実施の形態３を実施の形態２に適用した際のフローチャート（その１）。
【図１９】実施の形態３を実施の形態２に適用した際のフローチャート（その２）。
【図２０】実施の形態３を実施の形態２に適用した際のフローチャート（その３）。
【図２１】実施の形態４における地域Ａと地域Ｂの境界線上を移動している場合の一例を示す概略図。
【図２２】実施の形態４に係るデジタル放送受信装置の概略ブロック図。
【図２３】実施の形態４における直前領域情報テーブルの概略図。
【図２４】実施の形態４における選局制御部での処理を示すフローチャート（その１）。
【図２５】実施の形態４における選局制御部での処理を示すフローチャート（その２）。
【発明を実施するための形態】
【００１０】
実施の形態１．
図１は、本発明における実施の形態１に係るデジタル放送受信装置１００の概略ブロック図である。図示するように、デジタル放送受信装置１００は、チューナ部１０１と、デマルチプレクス部１０２と、デコード部１０３と、映像表示部１０４と、音声出力部１０５と、記憶部１１０と、制御部１２０と、を有する。
【００１１】
チューナ部１０１には、デジタル放送の放送局から送出された放送信号をアンテナで受信した受信信号が入力される。そして、チューナ部１０１は、選局、復調、誤り訂正を実施し、ＴＳ（トランスポートストリーム）をデマルチプレクス部１０２に出力する。
【００１２】
また、チューナ部１０１は、後述する選局制御部１２３からの指示により、チャンネルサーチして検出された放送局又は入力手段（図示せず）により指定された放送局からのデジタル放送番組の受信信号を受信して、選局、復調、誤り訂正を実施し、選局された番組の受信信号のＴＳを出力する。さらに、チューナ部１０１は、その受信信号の受信レベル情報、受信Ｃ／Ｎ比情報、ＰＬＬロック情報、フレームロック情報、誤り率の各種情報を制御部１２０に出力する。
【００１３】
デマルチプレクス部１０２は、チューナ部１０１より入力されたＴＳから番組特定情報（ＰＳＩ：Ｐｒｏｇｒａｍ  Ｓｐｅｃｉｆｉｃ  Ｉｎｆｏｒｍａｔｉｏｎ）及び番組配列情報（サービス情報：ＳＩ：Ｓｅｒｖｉｃｅ  Ｉｎｆｏｒｍａｔｉｏｎ）を抽出し、その各番組情報を記憶部１１０に保存する。
【００１４】
また、デマルチプレクス部１０２は、抽出されたＰＳＩ／ＳＩから、ＴＳ中の映像ＴＳパケット及び音声ＴＳパケットのＰＩＤ（ＴＳパケット識別子：Ｐａｃｋｅｔ  Ｉｄｅｎｔｉｆｉｅｒ）の値を検出し、ＴＳを各ＰＩＤでフィルタリングして映像ＴＳパケット及び音声ＴＳパケットを分離して抽出し、デコード部１０３に出力する。さらに、デマルチプレクス部１０２は、ＰＡＴ（Ｐｒｏｇｒａｍ  Ａｓｓｏｃｉａｔｉｏｎ  Ｔａｂｌｅ）断絶情報、ＰＭＴ（Ｐｒｏｇｒａｍ  Ｍａｐ  Ｔａｂｌｅ）断絶情報、ＴＳ同期はずれ情報、ＴＳパケットの損失情報の各種情報を制御部１２０に出力する。
【００１５】
デコード部１０３は、映像パケット及び音声パケットから映像のデコード（復号）及び音声のデコードを行い、映像パケットより復号された映像信号を映像表示部１０４に出力し、音声パケットより復号された音声信号を音声出力部１０５に出力する。さらに、デコード部１０３は、デコードエラー検出情報、デコードエラー率情報の各種情報を制御部１２０に出力する。
【００１６】
映像表示部１０４は、デコード部１０３より入力された映像信号に基づいて画面に映像を表示させる。また、音声出力部１０５は、デコード部１０３より入力された音声信号に基づいて音声を出力する。
【００１７】
記憶部１１０は、系列局記憶部１１１と、切替履歴記憶部１１２と、受信局記憶部１１３と、受信サービス領域記憶部１１４と、を有する。
【００１８】
系列局記憶部１１１には、特定の受信サービス領域（地域）の放送局と、この放送局の系列局であって他の受信サービス領域（地域）の放送局と、を関連づけた系列局情報が記憶される。例えば、本実施の形態においては、図２に示すような系列局情報テーブル１１１ａが記憶される。
【００１９】
図示するように、系列局情報テーブル１１１ａは、放送局欄１１１ｂと、系列局リスト欄１１１ｃと、を有する。
【００２０】
放送局欄１１１ｂには、放送局及びこの放送局が放送信号を送信する地域である受信サービス領域を特定する情報が格納される。ここで、放送局を特定する情報は、受信信号から得られる情報の中で、放送局を一意に識別することができるものを使用すればよい。例えば、サービスＩＤや放送局名、物理ＣＨ、ＴＳ＿ＩＤといったものを使用すればよい。
【００２１】
また、受信サービス領域を特定する情報についても、受信信号から得られる情報の中で、放送局がサービスを提供する地域を識別することができるものを使用すればよい。例えば、受信サービス領域としては、日本国内のデジタル放送規格であるＩＳＤＢ−Ｔ規格においては、サービスＩＤから得られる地域識別コードのフィールドの値や、受信信号に含まれるＮＩＴ（Ｎｅｔｗｏｒｋ  Ｉｎｆｏｒｍａｔｉｏｎ  Ｔａｂｌｅ）内の地上分配記述子のａｒｅａ＿ｃｏｄｅフィールドの値を用いてもよい。これらのフィールドの値は、全国の各々の放送局毎にユニークな値が割り当てられているため、割り当てられている値と地域（地域名）との対応表を作成しておくことで、受信サービス領域を特定する情報を取得することができる。
【００２２】
さらに、受信サービス領域を特定する情報として、例えば、欧州のデジタル放送規格であるＤＶＢ規格における、ｏｒｉｇｉｎａｌ＿ｎｅｔｗｏｒｋ＿ｉｄやｎｅｔｗｏｒｋ＿ｉｄといったものを用いてもよい。
【００２３】
例えば、放送局欄１１１ｂに格納されている「局α（地域Ａ）」の文字列は、「地域Ａ」で識別される受信サービス領域で放送を行っている「局α」で識別される放送局を示すものとする。
【００２４】
系列局リスト欄１１１ｃには、放送局欄１１１ｂで特定される受信サービス領域及び放送局の系列局である放送局及びこの系列局である放送局が放送信号を送信する受信サービス領域（地域）を特定する情報が格納される。ここで、系列局は、ある放送局と同じ番組を放送する関係にある放送局をいう。
【００２５】
なお、系列局リスト欄１１１ｃに、同じ受信サービス領域で放送を行う系列局が複数ある場合には、複数の放送局の間に優先度が付けられているものとする。例えば、図２に示すような系列局情報テーブル１１１ａの系列局リスト欄１１１ｃにおいて、向かって左側に格納されている放送局の方が、優先度が高いものとする。なお、本実施の形態においては、優先度は１から順に自然数が割り当てられており、数字が大きなものほど優先度が低くなるものとするが、このような態様に限定されるものではない。
【００２６】
ここで、放送局の優先度は、その放送局のチャンネル情報を用いて判断、例えば、物理ＣＨの順番とされていてもよく、また、過去の視聴実績から定められていてもよい。例えば、放送局を最近選局した「順番」をもとに、最近選局された放送局から順番に優先度が高くなるようにしてもよいし、また、放送局を最近選局した「回数」を系列局記憶部１１１に記憶しておき、最も選局回数が多い放送局から順番に優先度が高くなるようにしてもよい。また、上記の方法以外の手段で優先度を定めてもよい。
【００２７】
なお、系列局情報テーブル１１１ａは、予め作成されたものを、優先度を特定する情報とともに系列局記憶部１１１に記憶してもよいが、例えば、後述する選局制御部１２３が、視聴中の番組の放送局を特定する情報（例えば、チャンネル情報）を取得すると共に、その放送局の受信サービス領域情報を取得し、視聴中の番組の放送局の系列局がチャンネルサーチで検出された場合に、その系列局を特定する情報（例えば、チャンネル情報）を、取得しておいた視聴中の番組の放送局を特定する情報と系列関係であるように関連付けて系列局情報テーブル１１１ａに格納するようにしてもよい。
【００２８】
また、後述する選局制御部１２３は、上記のように系列局の選局を行う度に優先度の計算行って、その結果に従って優先度の高い系列局を選局するようにしてもよいが、予め優先度の計算を行っておき、図２の系列局情報テーブル１１１ａに反映しておく、例えば、系列局リスト欄１１１ｃにおける配列（順番）を優先度が高いものから順に整列させておく、といった処理を事前に行うことで、系列局の検索及び選局の際に必要な、優先度の演算量を削減することができる。さらに、系列局記憶部１１１には、各放送局（系列局）の周波数帯を特定する情報も記憶されている。
【００２９】
図１に戻り、切替履歴記憶部１１２には、番組が視聴された受信サービス領域と、この受信サービス領域から移動した受信サービス領域と、を特定する切替履歴情報が記憶される。例えば、本実施の形態においては、図３に示すような切替履歴情報テーブル１１２ａが記憶される。
【００３０】
図示するように、切替履歴情報テーブル１１２ａは、現在位置欄１１２ｂと、移動履歴欄１１２ｃと、を有する。
【００３１】
現在位置欄１１２ｂには、番組が視聴された受信サービス領域を特定する情報が格納される。
【００３２】
移動履歴欄１１２ｃには、現在位置欄１１２ｂで特定される受信サービス領域から、番組を視聴中に移動した受信サービス領域を特定する情報が記憶される。なお、移動履歴欄１１２ｃには、複数の受信サービス領域を特定する情報が格納される場合があり、格納された複数の受信サービス領域には優先度が定められているものとする。例えば、図３に示すような切替履歴情報テーブル１１２ａでは、向かって左側に格納されている受信サービス領域の方が、優先度が高いものとする。なお、本実施の形態においては、優先度は１から順に自然数が割り当てられており、数字が大きなものほど優先度が低くなるものとするが、このような態様に限定されるものではない。
【００３３】
ここで、優先度は、例えば、直近の数回の選局情報をもとに、受信サービス領域に移動した時間が現時間に近いものから順に優先度が高くなるようにしてもよいし、また、過去の選局履歴をもとに受信サービス領域に移動した回数が多いものから順に優先度が高くなるようにしてもよい。さらに、直前まで視聴していた受信サービス領域（地域）の優先度は、別の受信サービス領域（地域）に移動するまで、無条件で最優先としてもよい。
【００３４】
また、図３では移動前と移動後の地域（受信サービス領域）を関連づけた組毎に優先度を判断し、その情報を移動前の地域別に記憶しているが、本実施の形態ではこのような形式に限るわけではなく、例えば、移動後のみの優先度を判断するようにしても良いし、「移動前」→「移動後」→「その後」のように、さらに詳細に履歴情報を記憶してもよい。
【００３５】
受信局記憶部１１３には、視聴された番組の放送局を特定する情報が記憶される。受信サービス領域記憶部１１４には、視聴された番組の放送局の受信サービス領域を特定する情報が記憶される。
【００３６】
図１に戻り、制御部１２０は、全体制御部１２１と、受信不可検出部１２２と、選局制御部１２３と、を有する。
【００３７】
全体制御部１２１は、デジタル放送受信装置１００における全体の処理を制御する。
【００３８】
受信不可検出部１２２は、例えば、車等の移動体に搭載され又は携帯されるデジタル放送受信装置において、デジタル放送受信装置の受信位置が移動することから、受信位置が視聴中の番組の放送局のサービスエリア外になる場合や、地上の構造物による搬送波の遮断や減衰等の影響等を受ける場合があり、これらのような場合には視聴中の番組の放送局からの番組を受信することが不可となるが、そのような受信することができなくなる状態を検出する。
【００３９】
受信不可検出部１２２は、チューナ部１０１から、受信信号の受信レベル情報、受信Ｃ／Ｎ比情報、ＰＬＬロック情報、フレームロック情報、誤り率の各種情報の入力を受け、付け、また、デマルチプレクス部１０２から、ＰＡＴ断絶情報、ＰＭＴ断絶情報、ＴＳ同期はずれ情報、ＴＳパケットの損失情報の各種情報の入力を受け、さらに、デコード部１０３から、デコードエラー検出情報、デコードエラー率情報の各種情報の入力を受け、これらの各種情報より受信信号を受信することができなくなる「現状受信不可状態」及び「現状受信不可状態」の直前の「現状受信不可直前状態」であると判断した場合には、受信不可と判断して受信不可通知を選局制御部１２３に出力する。
【００４０】
ここで、受信不可検出部１２２は、入力を受け付けた各種情報の内容、又は、各種情報の回数又は各種情報で示される値と閾値との関係、より「現状受信不可状態」又は「現状受信不可直前状態」であるか否かを判断する。
【００４１】
選局制御部１２３は、視聴中の番組の放送局を特定する情報（例えば、チャンネル情報）を受信局記憶部１１３に記憶する。また、選局制御部１２３は、視聴中の番組の放送局の受信サービス領域を特定する情報を受信サービス領域記憶部１１４に記憶する。
【００４２】
また、選局制御部１２３は、受信不可検出部１２２から受信不可通知を受けた場合には、受信サービス領域記憶部１１４より今まで番組の受信を行っていた受信サービス領域を特定する情報を取得する。そして、選局制御部１２３は、切替履歴情報テーブル１１２ａにおいて、取得した受信サービス領域が現在位置欄１１２ｂに格納されているレコードの移動履歴欄１１２ｃより優先度に応じて、移動する可能性の高い受信サービス領域を特定する情報を取得する。次に、選局制御部１２３は、取得した移動する可能性の高い受信サービス領域を特定する情報と、受信局記憶部１１３に記憶されている放送局を特定する情報と、から、系列局記憶部１１１に、今まで視聴していた番組を放送していた放送局の系列局が、移動する可能性の高い受信サービス領域に存在するか否かを検索し、そのような系列局が存在する場合には、そのような系列局からの受信信号を受信可能か否かを判断する。そして、受信可能な場合には、選局制御部１２３は、受信可能と判断された系列局の番組を視聴するようにチューナ部１０１に指示を出し、一方、受信可能ではない場合には、系列局をチャンネルサーチするようにチューナ部１０１に指示を出す。
【００４３】
図４（ａ）及び（ｂ）は、デジタル放送受信装置１００が受信サービス領域を移動する際に選択される系列局の一例を示す概略図である。ここで、図４（ａ）は、デジタル放送受信装置１００が移動する受信サービス領域の一例を示しており、図４（ｂ）は、デジタル放送受信装置１００が図４（ａ）のように移動した際に選択される系列局の一例を示している。
【００４４】
まず、デジタル放送受信装置１００は、図４（ａ）に示すように「地域Ａ」の受信サービス領域において、図４（ｂ）に示すように「放送局α（地域Ａ）」の番組を視聴しているとする。
【００４５】
そして、デジタル放送受信装置１００が、図４（ａ）に示されているように「地域Ａ」の受信サービス領域から「地域Ｂ」の受信サービス領域に移動した場合、それまで視聴していた放送局である「放送局α（地域Ａ）」の受信サービス領域の外に出てしまうことになり、ある地点で受信不可となる。このとき、選局制御部１２３は、切替履歴情報テーブル１１２ａにおいて、現在位置欄１１２ｂに「地域Ａ」が格納されているレコードを特定し、特定したレコードの移動履歴欄１１２ｃより、移動する可能性の高い受信サービス領域として優先度の高い「地域Ｂ」を取得する。さらに、選局制御部１２３は、系列局情報テーブル１１１ａにおいて、今まで視聴していた「放送局α（地域Ａ）」が放送局欄１１１ｂに格納されているレコードを特定し、特定したレコードの系列局リスト欄１１１ｃより、移動する可能性の高い受信サービス領域「地域Ｂ」で選局できる系列局として「局α（地域Ｂ）」を選択して、チューナ部１０１に選局指示を出す。
【００４６】
選局制御部１２３は、「地域Ｂ」→「地域Ｃ」→「地域Ｄ」の移動の際にも同様の処理を行うが、例えば、「地域Ｃ」→「地域Ｄ」の移動の際には、図３に示す切替履歴情報テーブル１１２ａから取得できる「地域Ｃ」の移動履歴欄１１２ｃの中から、移動する可能性の高い地域として「地域Ｂ」が取得される。これにより、図２に示す系列局情報テーブル１１１ａから得られる系列局情報としては、「局α（地域Ｂ）」となり、選局制御部１２３は、この「局α（地域Ｂ）」をまず選局してしまう。しかし、受信装置の実際の位置は図４（ｂ）に示すように「地域Ｄ」であるため、この選局は失敗してしまう。そこで、選局制御部１２３は、切替履歴情報テーブル１１２ａより、次に「地域Ｃ」から移動する可能性の高い地域として「地域Ｄ」を取得するので、次に系列局情報テーブル１１１ａより得られる系列局情報としては、「局α（地域Ｄ）」となり、これを選局することで視聴を行うことができるようになる。
【００４７】
上記のように、デジタル放送受信装置１００では、デジタル放送受信装置１００の移動により受信不可となった場合に、移動履歴を基に系列局を検索し選局するので、移動履歴と系列局情報を事前に記憶していれば、チャンネルサーチを行うことなく同じ番組を継続して視聴することができるようになる。
【００４８】
図５及び図６は、デジタル放送装置１００における選局制御部１２３での処理を示すフローチャートである。
【００４９】
まずデジタル放送受信装置１００が、外部からの何らかの操作によりある放送局ｎの選局が要求されたとする。このとき選局制御部１２３は、要求された放送局ｎの選局を実施し（Ｓ１０）、選局された放送局からの受信信号の受信可否を判断する（Ｓ１１）。そして、選局制御部１２３は、この放送局ｎが「現状受信可状態」である場合（Ｓ１１でＹｅｓ）にはステップＳ１２に進み、この放送局ｎが「現状受信可状態」ではない場合（Ｓ１１でＮｏ）にはステップＳ１６に進む。
【００５０】
ステップＳ１２では、選局制御部１２３は、受信信号から放送局ｎを特定する情報及び放送局ｎの受信サービス領域を特定する情報を取得して、取得した放送局ｎを特定する情報を受信局記憶部１１３に記憶し、取得した放送局ｎの受信サービス領域を特定する情報を受信サービス領域記憶部１１４に記憶する。そして、選局制御部１２３は、放送局ｎの選局を維持することで、デジタル放送受信装置１００のユーザは放送局ｎの番組を視聴する（Ｓ１３）。
【００５１】
そして、選局制御部１２３は、受信不可検出部１２２から受信不可通知を受信した場合には、「現状受信可状態」ではないと判断し（Ｓ１４でＮｏ）、ステップＳ１５に進む。
【００５２】
ステップＳ１５では、選局制御部１２３は、受信サービス領域の優先度を示すインデックスｉ及び系列局である放送局の優先度を示すインデックスｊを１に初期化する。
【００５３】
次に、選局制御部１２３は、受信サービス領域記憶部１１４に記憶されている、放送局の受信サービス領域を特定する情報を取得し、切替履歴記憶部１１２の切替履歴情報テーブル１１２ａにおいて、現在位置欄１１２ｂに取得した受信サービス領域を特定する情報が格納されているレコードを特定し、特定したレコードの移動履歴欄１１２ｃにインデックスｉで特定される優先度の受信サービス領域を特定する情報が格納されているか否かを確認する（Ｓ１６）。そして、選局制御部１２３は、インデックスｉで特定される優先度の受信サービス領域を特定する情報が格納されている場合（ステップＳ１６でＹｅｓ）にはステップＳ１７に進み、インデックスｉで特定される優先度の受信サービス領域を特定する情報が格納されていない場合（ステップＳ１６でＮｏ）には図６のステップＳ２６に進む。
【００５４】
ステップＳ１７では、選局制御部１２３は、切替履歴情報テーブル１１２ａより、ステップＳ１６で検索されたインデックスｉで特定される優先度の受信サービス領域を特定する情報を取得する。
【００５５】
次に、選局制御部１２３は、受信局記憶部１１３に記憶されている放送局を特定する情報と、受信サービス領域記憶部１１４に記憶されている受信サービス領域を特定する情報と、を取得し、系列局記憶部１１１に記憶されている系列局情報テーブル１１１ａにおいて、放送局欄１１１ｂに取得した放送局及びこの放送局の受信サービス領域を特定する情報が格納されているレコードを特定し、特定したレコードの系列局リスト欄１１１ｃに、ステップＳ１７で取得された受信サービス領域に対応する放送局であって、インデックスｊに対応する優先度を有する系列局ｎｉｊがあるか否かを確認する（Ｓ１８）。そして、選局制御部１２３は、系列局ｎｉｊがある場合（ステップＳ１８でＹｅｓ）にはステップＳ１９に進む。一方、選局制御部１２３は、系列局ｎｉｊがない場合（ステップＳ１８でＹｅｓ）には、受信サービス領域の優先度を示すインデックスｉに１をインクリメントし、系列局である放送局の優先度を示すインデックスｊを１に初期化して（Ｓ２５）、ステップＳ１６に戻り処理を繰り返す。
【００５６】
そして、選局制御部１２３は、ステップＳ１８で検索された系列局ｎｉｊの選局を実施し（Ｓ１９）、選局された系列局ｎｉｊからの受信信号の受信可否を判断する（Ｓ２０）。
【００５７】
そして、選局制御部１２３は、この系列局ｎｉｊが「現状受信可状態」である場合（Ｓ２２でＹｅｓ）にはステップＳ２１に進む。一方、選局制御部１２３は、この系列局ｎｉｊが「現状受信可状態」ではない場合（Ｓ２２でＮｏ）には、系列局である放送局の優先度を示すインデックスｊに１をインクリメントし（Ｓ２４）、ステップＳ１８に戻り処理を繰り返す。
【００５８】
ステップＳ２２では、選局制御部１２３は、系列局ｎｉｊを特定する情報を受信局記憶部１１３に記憶し、系列局ｎｉｊの受信サービス領域を特定する情報を受信サービス領域記憶部１１４に記憶する。そして、選局制御部１２３は、系列局ｎｉｊの選局を維持することで、デジタル放送受信装置１００のユーザは系列局ｎｉｊの番組を視聴する（Ｓ２３）。
【００５９】
そして、選局制御部１２３は、受信不可検出部１２２から受信不可通知を受信した場合には、「現状受信可状態」ではないと判断し（Ｓ２４でＮｏ）、ステップＳ１５に進む。
【００６０】
上述のステップＳ１６において、インデックスｉで特定される優先度の受信サービス領域を特定する情報が格納されていない場合（ステップＳ１６でＮｏ）には、選局制御部１２３は、図６のステップＳ２６に進み、受信周波数の全体域を順に系列局となる放送局のチャンネルサーチを行う。
【００６１】
まず、図６のステップＳ２６では、選局制御部１２３は、チューナ部１０１に指示して、サーチするチャンネルをその帯域の最小値のチャンネルにする。そして、選局制御部１２３は、チャンネルサーチを行う(Ｓ２７)。
【００６２】
選局制御部１２３は、チャンネルサーチにより受信可能な放送局ｎｓが検出されるか否かを確認する（Ｓ２８）。そして、選局制御部１２３は、受信可能な放送局ｎｓが検出されない場合（ステップＳ２８でＮｏ）にはステップＳ２９に進み、受信可能な放送局ｎｓが検出された場合（ステップＳ２８でＹｅｓ）にはステップＳ３１に進む。
【００６３】
ステップＳ２９では、選局制御部１２３は、ステップＳ２７でサーチしたチャンネルがその帯域の最大値のチャンネルになっているか否かを確認する。そして、選局制御部１２３は、サーチしたチャンネルがその帯域の最大値のチャンネルである場合（ステップＳ２９でＹＥＳ）には、ステップＳ２６に戻り処理を繰り返し、サーチしたチャンネルがその帯域の最大値のチャンネルではない場合（ステップＳ２９でＮｏ）には、サーチするチャンネルを一つ繰り上げて（＋１）から（Ｓ３０）、ステップＳ２７に戻り処理を繰り返す。
【００６４】
一方、上記のステップＳ２８で、チャンネルサーチによりある放送局ｎｓが検出された場合（ステップＳ２８でＹｅｓ）には、選局制御部１２３は、検出された放送局ｎｓが、受信局記憶部１１３に記憶されている放送局と同じ系列の放送局か否かを確認する（Ｓ３１）。そして、選局制御部１２３は、同じ系列ではない場合（ステップＳ３１でＮｏ）にはステップＳ２９に進み、同じ系列である場合（ステップＳ３１でＹｅｓ）にはステップＳ３２に進む。
【００６５】
ここで、選局制御部１２３は、同系列の放送局であるか否かは、例えば、国内のデジタル放送規格であるＩＳＤＢ−Ｔ規格においては、デマルチプレクス部１０２で検出するＢＩＴ（Ｂｒｏａｄｃａｓｔｅｒ  Ｉｎｆｏｒｍａｔｉｏｎ  Ｔａｂｌｅ：ブロードキャスタの単位や、ブロードキャスタ単位毎のＳＩ伝送パラメータ等の指定）セクションにおけるａｆｆｉｌｉａｔｉｏｎ＿ＩＤのフィールド値により、その値が視聴中の番組とサーチされた放送局のチャンネルの番組で同一であれば、同じ系列の放送局であると判断するようにすればよい。また、欧州のデジタル放送規格であるＤＶＢ（Ｄｉｇｉｔａｌ  Ｖｉｄｅｏ  Ｂｒｏａｄｃａｓｔｉｎｇ）の場合では、ＮＩＴセクションの伝送されるｆｒｅｑｕｅｎｃｙ  ｌｉｓｔ記述子に含まれるｃｅｎｔｒｅ＿ｆｒｅｑｕｅｎｃｙ、又は、ｃｅｌｌ＿ｆｒｅｑｕｅｎｃｙ＿ｌｉｓｔ記述子に含まれるｔｒａｎｓｐｏｓｅｒ＿ｆｒｅｑｕｅｎｃｙの値を用いてＭＦＮ関係であるかどうかを判断すればよいし、また、デマルチプレクス部１０２で検出されたＰＳＩ及びＳＩの中の少なくともいずれか一方の値、例えば、ＳＤＴセクションにおけるサービス名の一致や、ＮＩＴ、ＳＤＴ、ＰＡＴセクションにおけるｔｓ＿ｉｄの一致、又は、ｓｖ＿ｉｄの一致、あるいは、ｔｓ＿ｉｄとｓｖ＿ｉｄの両方の一致の検出方法を用いた同一サービス放送中か否かで判断してもよい。
【００６６】
ステップＳ３２では、選局制御部１２３は、受信信号から放送局ｎｓを特定する情報及び放送局ｎｓの受信サービス領域を特定する情報を取得して、取得した放送局ｎｓを特定する情報を受信局記憶部１１３に記憶し、取得した放送局ｎｓの受信サービス領域を特定する情報を受信サービス領域記憶部１１４に記憶する。そして、選局制御部１２３は、放送局ｎｓの選局を維持することで、デジタル放送受信装置１００のユーザは放送局ｎｓの番組を視聴する（Ｓ３３）。
【００６７】
そして、選局制御部１２３は、受信不可検出部１２２から受信不可通知を受信した場合には、「現状受信可状態」ではないと判断し（Ｓ３４でＮｏ）、ステップＳ３５に進む。
【００６８】
ステップＳ３５では、選局制御部１２３は、受信サービス領域の優先度を示すインデックスｉ及び系列局である放送局の優先度を示すインデックスｊを１に初期化する。そして、選局制御部１２３は、図５のステップＳ１６に戻り、処理を繰り返す。
【００６９】
上記の特許文献１に記載された技術では、視聴中の番組が受信不可と判断された場合（ステップＳ１４でＮｏ）には、予め作成されていた放送局切替履歴情報を基に、その放送局からの切替頻度の高いものを優先的に選局していた。そのため、過去に切り替えたことのない系列局や視聴頻度の少ない放送局については、この放送局切替履歴の情報が十分に作成できておらず、適切に「現状受信可状態」である系列局を検出することができなくなる。つまり、この場合は受信周波数の全帯域をスキャンして系列局をチャンネルサーチする必要があるため、番組視聴が中断される時間を短縮させる効果が得られなくなる。
【００７０】
しかし、本実施の形態１では、視聴中の番組が受信不可になった場合（ステップＳ１４でＮｏ）は、切替履歴を用いてまず選局対象の地域を特定し、そこを受信サービス領域とする系列局を選局するようにしたため、過去に切り替えたことのない系列局や視聴頻度の少ない放送局についても、現在位置で「現状受信可状態」となる系列局を検出することができる。つまり、この場合でも受信周波数の全帯域をスキャンして系列局をチャンネルサーチする必要がないため、番組視聴が中断される時間を短縮させる効果を得ることができる。
【００７１】
以上に記載した実施の形態１では、選局制御部１２３は、系列局記憶部１１１及び切替履歴記憶部１１２の各々に問い合わせを行うことで、現在地域で視聴可能な系列局を検出するようにしているが、系列局記憶部１１１及び切替履歴記憶部１１２が記憶する情報の間に何らかの関連性を持たせるようにしてもよい。
【００７２】
例えば、図７に示すように、系列局記憶部１１１に記憶する系列局情報テーブル１１１ｄを、「現状受信可状態」となる地域を格納する地域欄１１１ｅと、放送局欄１１１ｆと、系列局リスト欄１１１ｇと、を有するテーブル情報としておく。そして、切替履歴記憶部１１２で優先順位付けされた地域と、系列局情報テーブル１１１ｄの地域欄１１１ｅに格納された地域と、を結びつけておくことで（リンクさせておくことで）、系列局記憶部１１１から「現状受信可状態」となる放送局を見つけ出す際の候補数を少なくすることができ、その検索に要する時間を短くすることができる。また、この地域の優先順位自体を系列局情報テーブル１１１ｄの中に記憶するようにすることで、系列局記憶部１１１と切替履歴記憶部１１２が記憶する情報を一つの領域にまとめてもよい。
【００７３】
以上に記載した実施の形態１では、系列局記憶部１１１に記憶されている系列局情報は、図２に示すように、放送局毎のレコードを記憶しているが、例えば、図８（系列局情報テーブル１１１ｈの概略図）に示されるように、系列局関係にある放送局のレコードを一纏めにすることにより、記憶領域の削減を行っても良い。
【００７４】
図示するように、系列局情報テーブル１１１ｈは、系列情報欄１１１ｉと、系列局リスト欄１１１ｊと、を有する。系列情報欄１１１ｉには、各々の放送局の系列局関係を示す情報が格納される。各々の放送局の系列局関係を示す情報として、例えば、上述したチャンネルサーチの際に系列関係か否かを判断する際に用いた、国内のデジタル放送規格であるＩＳＤＢ−Ｔ規格においては、デマルチプレクス部１０２で検出するＢＩＴ（Ｂｒｏａｄｃａｓｔｅｒ  Ｉｎｆｏｒｍａｔｉｏｎ  Ｔａｂｌｅ：ブロードキャスタの単位や、ブロードキャスタ単位毎のＳＩ伝送パラメータ等の指定）セクションにおけるａｆｆｉｌｉａｔｉｏｎ＿ＩＤのフィールド値を格納すればよい。
【００７５】
系列局リスト欄１１１ｊには、系列情報欄１１１ｉで特定される系列局関係にある放送局及びこの放送局が放送信号を送信する受信サービス領域（地域）を特定する情報が格納される。
【００７６】
系列局記憶部１１１に、図８に示されるような系列局情報テーブル１１１ｈが記憶されている場合のフローチャートを図９に示す。なお、図９のフローチャートは、図５に示すフローチャートに、ステップＳ１８−２が追加されている部分が異なっており、以下、ステップＳ１８−２に関連する事項について説明する。
【００７７】
図９のステップＳ１８では、選局制御部１２３は、系列局情報テーブル１１１ｈにおいて、放送局ｎの系列情報に対応する系列情報が系列情報欄１１１ｉに格納されているレコードを特定し、特定したレコードより、放送局ｎの属する系列局リスト欄１１１ｃを特定し、インデックスｊに対応する系列局ｎｊの情報が存在するか否かを判定する。このような系列局ｎｊの情報がある場合（ステップＳ１８でＹｅｓ）にはステップＳ１８−２に進み、このような系列局ｎｊの情報がない場合（ステップＳ１８でＮｏ）にはステップＳ２１に進む。なお、なお、選局制御部１２３は、このような系列局ｎｊの情報がある場合（ステップＳ１８でＹｅｓ）に、そのままステップＳ１９に進んで実際に選局できるかどうかを確認してもよい。
【００７８】
ステップＳ１８−２では、選局制御部１２３は、系列局リスト欄１１１ｊからその系列局ｎｊの受信サービス領域を取得し、取得した受信サービス領域がステップＳ１７で見つかった地域（受信サービス領域）と同じであるか否かを判定する。
【００７９】
そして、選局制御部１２３は、ステップＳ１７で見つかった地域と同じであると判定した場合（ステップＳ１８―２でＹｅｓの場合）は、ステップＳ１９に進み、その系列局ｎｊの選局を行えばよく、ステップＳ１７で見つかった地域と異なると判定した場合（ステップＳ１８―２でＮｏの場合）は、ステップＳ２１に進み次の系列局の確認を行えばよい。
【００８０】
実施の形態２．
上述した実施の形態１のデジタル放送受信装置１００では、視聴していた受信サービス領域に対応する切替履歴情報が存在しない場合は、全周波数帯を対象とした系列局のチャンネルサーチを実施していたが、直前までに視聴していた放送局の受信サービス領域から、その地域に隣接している地域（受信サービス領域）を特定し、その隣接地域で「現状受信可状態」となっている系列局である放送局を系列局情報により特定することで、受信周波数の全帯域をスキャンして系列局をチャンネルサーチする機会を減らすことができる。
【００８１】
図１０は、本発明における実施の形態２に係るデジタル放送受信装置２００の概略ブロック図である。図示するように、デジタル放送受信装置２００は、チューナ部１０１と、デマルチプレクス部１０２と、デコード部１０３と、映像表示部１０４と、音声出力部１０５と、記憶部２１０と、制御部２２０と、を有し、実施の形態１と比較して、記憶部２１０及び制御部２２０が異なっているため、以下、記憶部２１０及び制御部２２０に関連する事項について説明する。
【００８２】
記憶部２１０は、系列局記憶部１１１と、切替履歴記憶部１１２と、受信局記憶部１１３と、受信サービス領域記憶部１１４と、隣接地域記憶部２１５と、を有し、実施の形態１と比較して、隣接地域記憶部２１５を有する点で異なっているため、以下、隣接地域記憶部２１５に関連する事項について説明する。
【００８３】
隣接地域記憶部２１５には、受信サービス領域と、この受信サービス領域に隣接する受信サービス領域と、を特定した隣接地域情報が記憶される。例えば、本実施の形態においては、図１１に示すような隣接地域情報テーブル２１５ａが記憶される。
【００８４】
図示するように、隣接地域情報テーブル２１５ａは、地域欄２１５ｂと、隣接地域欄２１５ｃと、を有する。
【００８５】
地域欄２１５ｂには、受信サービス領域を特定する情報が記憶される。
【００８６】
隣接地域欄２１５ｃには、地域欄２１５ｂで特定される受信サービス領域に隣接する受信サービス領域を特定する情報が格納される。
【００８７】
ここで、隣接地域情報テーブル２１５ａは、例えば、図１２（隣接地域の具体例を示す概略図）に示すようなある地域の地図上での隣接関係を基に、それらの隣接地域関係をまとめてあらかじめ作成し、隣接地域記憶部２１５に記憶しておく。
【００８８】
図１０に戻り、制御部２２０は、全体制御部１２１と、受信不可検出部１２２と、選局制御部２２３と、を有し、実施の形態１と比較して、選局制御部２２３が異なっているため、以下、選局制御部２２３に関連する事項について説明する。
【００８９】
選局制御部２２３は、実施の形態１と同様に、視聴された番組の放送局を特定する情報（例えば、チャンネル情報）を受信局記憶部１１３に記憶する。また、選局制御部１２３は、視聴された番組の放送局の受信サービス領域を特定する情報を受信サービス領域記憶部１１４に記憶する。
【００９０】
また、選局制御部２２３は、受信不可検出部１２２から受信不可通知を受けた場合には、受信サービス領域記憶部１１４より今まで番組の受信を行っていた受信サービス領域を特定する情報を取得する。そして、選局制御部２２３は、切替履歴情報テーブル１１２ａにおいて、取得した受信サービス領域が現在位置欄１１２ｂに格納されているレコードの移動履歴欄１１２ｃより優先度に応じて、移動する可能性の高い受信サービス領域を特定する情報を取得する。次に、選局制御部２２３は、取得した移動する可能性の高い受信サービス領域を特定する情報と、受信局記憶部１１３に記憶されている放送局を特定する情報と、から、系列局記憶部１１１に、今まで視聴していた番組を放送していた放送局の系列局が、移動する可能性の高い受信サービス領域に存在するか否かを検索し、存在する場合に、そのような系列局からの受信信号を受信可能か否かを判断する。そして、受信可能な場合には、選局制御部２２３は、受信可能と判断された系列局の番組を視聴するようにチューナ部１０１に指示を出し、一方、受信可能ではない場合には、受信サービス領域記憶部１１４より取得した受信サービス領域に隣接する受信サービス領域において、今まで視聴していた番組を放送していた放送局の系列局が存在するか否かを検索し、存在する場合には、そのような系列局からの受信信号を受信可能か否かを判断する。そして、受信可能な場合には、選局制御部２２３は、受信可能と判断された系列局の番組を視聴するようにチューナ部１０１に指示を出し、一方、受信可能ではない場合には、系列局をチャンネルサーチするようにチューナ部１０１に指示を出す。
【００９１】
図１３及び図１４は、デジタル放送装置２００における選局制御部２２３での処理を示すフローチャートである。
【００９２】
図１３に示すステップＳ４０からステップＳ５５は、実施形態１のステップＳ１０からステップＳ２５（図５参照）と同様である。
【００９３】
図１３のステップＳ４６において、インデックスｉで特定される優先度の受信サービス領域を特定する情報が格納されていない場合（ステップＳ４６でＮｏ）には、選局制御部２２３は、図１４のステップＳ５６に進み、隣接地域における系列局となる放送局のチャンネルサーチを行う。
【００９４】
まず、ステップＳ５６では、放送局の優先度を示すインデックスｊと、隣接地域の優先度を示すインデックスｋと、を１に初期化する。
【００９５】
ここで、ある受信サービス領域に隣接する他の受信サービス領域は、多くの場合、図１１に示す隣接地域欄２１５ｃのように複数の受信サービス領域が登録されている。そこで、選局制御部２２３は、視聴を行っていた受信サービス領域に隣接する他の受信サービス領域を取得する際には、隣接する複数の受信サービス領域に優先度を設定し、その優先度で示される順序に従って最優先のものを取得すべきである。
【００９６】
この優先度は、図１１に示すような隣接地域情報テーブル２１５ａを作成する際に固定的に決定しておくことも可能であり、例えば、国内のデジタル放送規格であるＩＳＤＢ−Ｔ規格においては、サービスＩＤから得られる地域識別コードのフィールドの値の昇順又は降順により優先度の順を決めてもよく、他の順序としても良い。
【００９７】
また、この何らかの優先度は、切替履歴記憶部１１２に記憶されている切替履歴情報を用いて計算した順序としてもよい。例えば、地域Ｅの隣接地域に地域Ａ、地域Ｂ、地域Ｃ、地域Ｄがある場合で、切替履歴記憶部１１２に図３に示すような切替履歴情報テーブル１１２ａが記憶されている場合には、地域Ａに対応する移動履歴欄１１２ｃに格納された地域、地域Ｂに対応する移動履歴欄１１２ｃに格納された地域、及び、地域Ｃに対応する移動履歴欄１１２ｃに格納された地域を、例えば、優先度の大きいものから順に１０、９、８、・・・、と点数をつけて、その点数を各々の地域ごとに集計することで、地域Ａは３点、地域Ｂは２０点、地域Ｃは１８点、地域Ｄは９点のように集計でき、この得点の高い順序、すなわち、地域Ｂ＞地域Ｃ＞地域Ｄ＞地域Ａであるから地域Ｂ、地域Ｃ、地域Ｄ、地域Ａのような順序としてもよい。
【００９８】
なお、本実施の形態における優先度は、１から順に自然数が割り当てられており、数値が大きくなるほど優先度は小さくなるものとする。
【００９９】
次に、選局制御部２２３は、受信サービス領域記憶部１１４に記憶されている受信サービス領域を特定する情報を取得し、隣接地域記憶部２１５に記憶されている隣接地域情報テーブル２１５ａにおいて、地域欄２１５ｂに取得した受信サービス領域を特定する情報が格納されているレコードを特定し、特定したレコードの隣接地域欄２１５ｃにインデックスｋで特定される優先度の受信サービス領域が格納されているか否かを確認する（Ｓ５７）。そして、選局制御部２２３は、インデックスｋで特定される優先度の受信サービス領域を特定する情報が格納されている場合（ステップＳ５７でＹｅｓ）にはステップＳ５８に進み、インデックスｋで特定される優先度の受信サービス領域を特定する情報が格納されていない場合（ステップＳ５７でＮｏ）にはステップＳ６７に進む。
【０１００】
ステップＳ５８では、選局制御部２２３は、隣接地域情報テーブル２１５ａより、ステップＳ５７で検索されたインデックスｋで特定される優先度の受信サービス領域を特定する情報を取得する。
【０１０１】
次に、選局制御部２２３は、受信局記憶部１１３に記憶されている放送局を特定する情報と、受信サービス領域記憶部１１４に記憶されている受信サービス領域を特定する情報と、を取得し、系列局記憶部１１１に記憶されている系列局情報テーブル１１１ａにおいて、放送局欄１１１ｂに取得した放送局及びこの放送局の受信サービス領域を特定する情報が格納されているレコードを特定し、特定したレコードの系列局リスト欄１１１ｃに、ステップＳ５８で取得された受信サービス領域に対応する放送局であって、インデックスｊに対応する優先度を有する放送局ｎｋｊがあるか否かを確認する（Ｓ５９）。そして、選局制御部２２３は、放送局ｎｋｊがある場合（ステップＳ５９でＹｅｓ）にはステップＳ６０に進む。一方、選局制御部２２３は、放送局ｎｋｊがない場合（ステップＳ５９でＹｅｓ）には、隣接地域の優先度を示すインデックスｋに１をインクリメントし、系列局である放送局の優先度を示すインデックスｊを１に初期化して（Ｓ６６）、ステップＳ５７に戻り処理を繰り返す。
【０１０２】
そして、選局制御部２２３は、ステップＳ５９で検索された放送局ｎｋｊの選局を実施し（Ｓ６０）、選局された放送局ｎｋｊからの受信信号の受信可否を判断する（Ｓ６１）。
【０１０３】
そして、選局制御部２２３は、この放送局ｎｋｊが「現状受信可状態」である場合（Ｓ６１でＹｅｓ）にはステップＳ６３に進む。一方、選局制御部２２３は、この放送局ｎｋｊが「現状受信可状態」ではない場合（Ｓ６１でＮｏ）には、系列局である放送局の優先度を示すインデックスｊに１をインクリメントし（Ｓ６２）、ステップＳ５９に戻り処理を繰り返す。
【０１０４】
ステップＳ６３では、選局制御部２２３は、放送局ｎｋｊを特定する情報を受信局記憶部１１３に記憶し、放送局ｎｋｊの受信サービス領域を特定する情報を受信サービス領域記憶部１１４に記憶する。そして、選局制御部２２３は、放送局ｎｋｊの選局を維持することで、デジタル放送受信装置２００のユーザは放送局ｎｋｊの番組を視聴する（Ｓ６４）。
【０１０５】
そして、選局制御部２２３は、受信不可検出部１２２から受信不可通知を受信した場合には、「現状受信可状態」ではないと判断し（Ｓ６５でＮｏ）、ステップＳ７６に進む。
【０１０６】
上述のステップＳ５７において、インデックスｋで特定される優先度の受信サービス領域を特定する情報が格納されていない場合（ステップＳ５７でＮｏ）には、選局制御部２２３は、ステップＳ６７に進み、受信周波数の全体域を順に系列局となる放送局のチャンネルサーチを行う。ここで、ステップＳ６７からステップＳ７６までの処理は、実施の形態１における図６のステップＳ２６からステップＳ３５までの処理と同様である。
【０１０７】
本実施の形態２によれば、切替履歴記憶部１１２に、視聴中だった受信サービス領域の切替履歴情報が記憶されていなかった場合でも、視聴中だった番組の放送局の受信サービス領域をもとに、系列放送記憶部１１１に記憶されている系列局情報を絞り込んで選局することで、受信周波数の全帯域をスキャンして系列局をチャンネルサーチする機会を減らすことができ、その結果番組視聴が中断される時間を短縮させることができる。
【０１０８】
実施の形態３．
上記した実施の形態１では、受信サービス領域に対応する切替履歴情報が存在しない場合は、全周波数帯を対象とした、系列局のチャンネルサーチを実施していたが、このチャンネルサーチで最初に見つかった放送局の情報を用いることで、チャンネルサーチを実施する期間を短くすることができる。
【０１０９】
図１５は、本発明における実施の形態３に係るデジタル放送受信装置３００の概略ブロック図である。図示するように、デジタル放送受信装置３００は、チューナ部１０１と、デマルチプレクス部１０２と、デコード部１０３と、映像表示部１０４と、音声出力部１０５と、記憶部１１０と、制御部３２０と、を有し、実施の形態１と比較して、制御部３２０が異なっているため、以下、制御部３２０に関連する事項について説明する。
【０１１０】
制御部３２０は、全体制御部１２１と、受信不可検出部１２２と、選局制御部３２３と、を有し、実施の形態１と比較して、選局制御部３２３が異なっているため、以下、選局制御部３２３に関連する事項について説明する。
【０１１１】
選局制御部３２３は、実施の形態１と同様に、視聴された番組の放送局を特定する情報（例えば、チャンネル情報）を受信局記憶部１１３に記憶する。また、選局制御部１２３は、視聴された番組の放送局の受信サービス領域を特定する情報を受信サービス領域記憶部１１４に記憶する。
【０１１２】
また、選局制御部３２３は、受信不可検出部１２２から受信不可通知を受けた場合には、受信サービス領域記憶部１１４より今まで番組の受信を行っていた受信サービス領域を特定する情報を取得する。そして、選局制御部３２３は、切替履歴情報テーブル１１２ａにおいて、取得した受信サービス領域が現在位置欄１１２ｂに格納されているレコードの移動履歴欄１１２ｃより優先度に応じて、移動する可能性の高い受信サービス領域を特定する情報を取得する。次に、選局制御部３２３は、取得した移動する可能性の高い受信サービス領域を特定する情報と、受信局記憶部１１３に記憶されている放送局を特定する情報と、から、系列局記憶部１１１に、今まで視聴していた番組を放送していた放送局の系列局が、移動する可能性の高い受信サービス領域に存在するか否かを検索し、存在する場合に、そのような系列局からの受信信号を受信可能か否かを判断する。そして、受信可能な場合には、選局制御部３２３は、受信可能と判断された系列局の番組を視聴するようにチューナ部１０１に指示を出し、一方、受信可能ではない場合には、系列局をチャンネルサーチするようにチューナ部１０１に指示を出す。
【０１１３】
ここで、選局制御部３２３は、チャンネルサーチにより受信可能と判断された放送局が系列局ではない場合には、この放送局の受信サービス領域を特定する情報を取得する。次に、選局制御部３２３は、取得した受信サービス領域を特定する情報と、受信局記憶部１１３に記憶されている放送局を特定する情報と、から、系列局記憶部１１１に、今まで視聴していた番組を放送していた放送局の系列局が、取得した受信サービス領域に存在するか否かを検索し、存在する場合に、そのような系列局からの受信信号を受信可能か否かを判断する。そして、受信可能な場合には、選局制御部３２３は、受信可能と判断された系列局の番組を視聴するようにチューナ部１０１に指示を出し、一方、受信可能ではない場合には、他の放送局をチャンネルサーチするようにチューナ部１０１に指示を出す。
【０１１４】
図１６及び図１７は、デジタル放送装置３００における選局制御部３２３での処理を示すフローチャートである。
【０１１５】
図１６に示すステップＳ８０からステップＳ９５は、実施形態１のステップＳ１０からステップＳ２５（図５参照）と同様である。
【０１１６】
図１６のステップＳ８６において、インデックスｉで特定される優先度の受信サービス領域を特定する情報が格納されていない場合（ステップＳ８６でＮｏ）には、選局制御部３２３は、図１７のステップＳ９６に進み、受信周波数の全体域を順に系列局となる放送局のチャンネルサーチを行う。
【０１１７】
まず、図１７のステップＳ９６では、選局制御部３２３は、チューナ部１０１に指示して、サーチするチャンネルをその帯域の最小値のチャンネルにする。そして、選局制御部３２３は、チャンネルサーチを行う(Ｓ９７)。
【０１１８】
選局制御部３２３は、チャンネルサーチにより受信可能な放送局ｎｓが検出されるか否かを確認する（Ｓ９８）。そして、選局制御部３２３は、受信可能な放送局ｎｓが検出されない場合（ステップＳ９８でＮｏ）にはステップＳ９９に進み、受信可能な放送局ｎｓが検出された場合（ステップＳ９８でＹｅｓ）にはステップＳ１０１に進む。
【０１１９】
ステップＳ９９では、選局制御部３２３は、ステップＳ９７でサーチしたチャンネルがその帯域の最大値のチャンネルになっているか否かを確認する。そして、選局制御部３２３は、サーチしたチャンネルがその帯域の最大値のチャンネルである場合（ステップＳ９９でＹＥＳ）には、ステップＳ９６に戻り処理を繰り返し、サーチしたチャンネルがその帯域の最大値のチャンネルではない場合（ステップＳ９９でＮｏ）には、サーチするチャンネルを一つ繰り上げて（＋１）から（Ｓ１００）、ステップＳ９７に戻り処理を繰り返す。
【０１２０】
一方、上記のステップＳ９８で、チャンネルサーチによりある放送局ｎｓが検出された場合（ステップＳ９８でＹｅｓ）には、選局制御部３２３は、検出された放送局ｎｓが、受信局記憶部１１３に記憶されている放送局と同じ系列の放送局か否かを確認する（Ｓ１０１）。そして、選局制御部３２３は、同じ系列ではない場合（ステップＳ１０１でＮｏ）にはステップＳ１０２に進み、同じ系列である場合（ステップＳ１０１でＹｅｓ）にはステップＳ１１１に進む。ここで、同系列の放送局であるか否かは、実施の形態１のステップＳ３１と同様の判断を行えばよい。
【０１２１】
ステップＳ１０２では、選局制御部３２３は、ステップＳ９８で検出した放送局ｎｓの受信信号に含まれる受信サービス領域を特定する情報を取得する。
【０１２２】
次に、選局制御部３２３は、放送局の優先度を示すインデックスを１に初期化する（Ｓ１０３）。
【０１２３】
そして、選局制御部３２３は、受信局記憶部１１３に記憶されている放送局を特定する情報、及び、受信サービス領域記憶部１１４に記憶されている受信サービス領域を特定する情報、を取得し、系列局情報テーブル１１１ａの放送局欄１１１ｂに、取得した放送局を特定する情報及び受信サービス領域を特定する情報が格納されているレコードを特定し、特定したレコードにおいて、ステップＳ１０２で特定した受信サービス領域における系列局となる放送局ｎｓｊが存在するか否かを確認する（Ｓ１０４）。選局制御部３２３は、このような放送局ｎｓｊが存在する場合（Ｓ１０４でＹｅｓ）にはステップＳ１０５に進み、このような放送局ｎｓｊが存在しない場合（Ｓ１０４でＮｏ）にはステップＳ９９に進む。
【０１２４】
ステップＳ１０５では、選局制御部３２３は、放送局ｎｓｊの選局を実施する。そして、選局制御部３２３は、選局された放送局ｎｓｊからの受信信号の受信可否を判断し（Ｓ１０６）、この放送局ｎｓｊが「現状受信可状態」である場合（Ｓ１０６でＹｅｓ）にはステップＳ１０８に進み、この放送局ｎｓｊが「現状受信可状態」ではない場合（Ｓ１０６でＮｏ）にはステップＳ１０７に進む。
【０１２５】
ステップＳ１０８では、選局制御部３２３は、受信信号から放送局ｎｓｊを特定する情報及び放送局ｎｓｊの受信サービス領域を特定する情報を取得して、取得した放送局ｎｓｊを特定する情報を受信局記憶部１１３に記憶し、取得した放送局ｎｓｊの受信サービス領域を特定する情報を受信サービス領域記憶部１１４に記憶する。そして、選局制御部３２３は、放送局ｎｓｊの選局を維持することで、デジタル放送受信装置３００のユーザは放送局ｎｓｊの番組を視聴する（Ｓ１０９）。
【０１２６】
そして、選局制御部３２３は、受信不可検出部１２２から受信不可通知を受信した場合には、「現状受信可状態」ではないと判断し（Ｓ１１０でＮｏ）、ステップＳ１１４に進む。
【０１２７】
ステップＳ１０７では、選局制御部３２３は、系列局である放送局の優先度を示すインデックスｊに１をインクリメントする。そして、選局制御部３２３は、ステップＳ１０４に戻り、処理を繰り返す。
【０１２８】
一方、ステップＳ１０１において、選局制御部３２３は、検出された放送局ｎｓが受信局記憶部１１３に記憶されている放送局と同じ系列の放送局である場合には（ステップＳ１０１でＹｅｓ）、ステップＳ１１１に進む。
【０１２９】
ステップＳ１１１では、選局制御部３２３は、受信信号から放送局ｎｓを特定する情報及び放送局ｎｓの受信サービス領域を特定する情報を取得して、取得した放送局ｎｓを特定する情報を受信局記憶部１１３に記憶し、取得した放送局ｎｓの受信サービス領域を特定する情報を受信サービス領域記憶部１１４に記憶する。そして、選局制御部３２３は、放送局ｎｓの選局を維持することで、デジタル放送受信装置３００のユーザは放送局ｎｓの番組を視聴する（Ｓ１１２）。
【０１３０】
そして、選局制御部３２３は、受信不可検出部１２２から受信不可通知を受信した場合には、「現状受信可状態」ではないと判断し（Ｓ１１３でＮｏ）、ステップＳ１１４に進む。
【０１３１】
ステップＳ１１４では、選局制御部３２３は、受信サービス領域の優先度を示すインデックスｉ及び系列局である放送局の優先度を示すインデックスｊを１に初期化する。そして、選局制御部３２３は、図１６のステップＳ８６に戻り、処理を繰り返す。
【０１３２】
本実施の形態３によれば、切替履歴記憶部１１２に、受信していた受信サービス領域の切替履歴情報が記憶されていなかった場合でも、全周波数帯から「現状受信可状態」である放送局を一つ検出し、その放送局の受信サービス領域を用いて、系列放送記憶部１１１に記憶されている系列局情報を絞り込んで選局することで、たとえ受信周波数の全帯域をスキャンして系列局をチャンネルサーチし始めたとしても、そのチャンネルサーチを中断して系列局の選択ができるため、その結果番組視聴が中断される時間を短縮させることができる。
【０１３３】
実施の形態３の変形例．
実施の形態３は、上述した実施の形態１だけでなく、実施の形態２に対しても適用することができる。実施の形態３を実施の形態２に適用する際のフローチャートは図１８から図２０のようになる。
【０１３４】
図１８のステップＳ１２０からステップＳ１３５は、実施の形態１のステップＳ１０からステップＳ２５（図５参照）までの処理と同様であり、図１９のステップＳ１３６からステップＳ１５６は、実施の形態２のステップＳ５６からステップＳ７６（図１４参照）までの処理と同様であり、図２０のステップＳ１５７からステップＳ１６５は、実施の形態３のステップＳ１０２からステップＳ１１０（図１７参照）と同様である。
【０１３５】
ただし、図１９のステップＳ１５２では、放送局ｎｓが系列局でない場合（ステップＳ１５２でＮｏ）には図２０のステップＳ１５７に進み、また、図２０のステップ１５９で優先度ｊに対応する系列局ｎｓｊが存在しない場合（ステップＳ１５９でＮｏ）には図１９のステップＳ１５０に進む。
【０１３６】
以上のように、実施の形態３を実施の形態２に適用することで、隣接地域に系列局が見つからず、受信周波数の全帯域をスキャンして系列局のチャンネルサーチを開始した場合でも、そのチャンネルサーチを中断して系列局の選択ができるため、その結果番組視聴が中断される時間を短縮させることができる。
【０１３７】
実施の形態４．
上述した実施の形態１〜実施の形態３では、デジタル放送受信装置が２つの受信サービス領域の境界線付近を移動している場合に、視聴している放送局の信号が「現状受信可状態」から受信不可の状態に頻繁に切り替わってしまうことがある。
【０１３８】
例えば、図２１（地域Ａと地域Ｂの境界線上を移動している場合の一例を示す概略図）に示すように、地域Ａと地域Ｂの境界線１２００に沿うような方向１２０１にデジタル放送受信装置が移動している場合は、はじめは地域Ｂを移動中なので放送局α（地域Ｂ）を受信するが、受信サービス領域の境界点１２０２を通過して地域Ａに移動すると、放送局α（地域Ｂ）が「現状受信不可状態」となるため、地域Ａで「現状受信可状態」となる系列局である放送局α（地域Ａ）を、上述した手順で選局する。
【０１３９】
また、次の受信サービス領域の境界点１２０３を通過して地域Ａから地域Ｂに移動すると、放送局α（地域Ａ）が「現状受信不可状態」となり、再び地域Ｂで「現状受信可状態」となる系列局である放送局α（地域Ｂ）を、上述した手順で選局し、さらに次の受信サービス領域の境界点１２０４でも同様の動作を繰り返すこととなる。
【０１４０】
このとき、境界点１２０３については地域Ａから地域Ｂへの切り替わりであり、境界点１２０２及び境界点１２０４については地域Ｂから地域Ａの切り替わりとなるが、ここで例えば、切替履歴記憶部１１２に図３に示すような切替履歴情報テーブル１１２ａが記憶されている場合には、切替履歴情報テーブル１１２ａに基づいて、境界点１２０３については地域Ａから地域Ｂが取得できるため、上述の実施の形態１〜実施の形態３においても放送局α（地域Ｂ）を選局することができる。
【０１４１】
一方、境界点１２０２及び境界点１２０４については、切替履歴情報テーブル１１２ａにおいて、地域Ｂに対して地域Ａの優先度が低くなってしまっているので、地域Ａを取得するためには時間がかかってしまう。
【０１４２】
そこで、本実施の形態４では、直前に選局を行っていた受信サービス領域を記憶しておくことで、２つの受信サービス領域の境界線付近を移動している場合でも、短時間で系列局を切り替えることができるようにする。
【０１４３】
図２２は、本発明における実施の形態４に係るデジタル放送受信装置４００の概略ブロック図である。図示するように、デジタル放送受信装置４００は、チューナ部１０１と、デマルチプレクス部１０２と、デコード部１０３と、映像表示部１０４と、音声出力部１０５と、記憶部４１０と、制御部４２０と、を有し、実施の形態１と比較して、記憶部４１０及び制御部４２０が異なっているため、以下、記憶部４１０及び制御部４２０に関連する事項について説明する。
【０１４４】
記憶部４１０は、系列局記憶部１１１と、切替履歴記憶部１１２と、受信局記憶部１１３と、受信サービス領域記憶部１１４と、直前領域記憶部４１６と、を有し、実施の形態１と比較して、直前領域記憶部４１６を有する点で異なっているため、以下、直前領域記憶部４１６に関連する事項について説明する。
【０１４５】
直前領域記憶部４１６には、選局された放送局の受信サービス領域と、前回選局された放送局の受信サービス領域と、を特定する直前領域情報が記憶される。例えば、本実施の形態においては、図２３に示すような直前領域情報テーブル４１６ａが記憶される。
【０１４６】
図示するように、直前領域情報テーブル４１６ａは、選局中の放送局の受信サービス領域欄４１６ｂと、前回選局した放送局の受信サービス領域欄４１６ｃと、を有する。
【０１４７】
選局中の放送局の受信サービス領域欄４１６ｂには、デジタル放送受信装置４００で選局された受信サービス領域を特定する情報が記憶される。
【０１４８】
前回選局した放送局の受信サービス領域欄４１６ｃには、選局中の放送局の受信サービス領域欄４１６ｂで特定される受信サービス領域の直前に、デジタル放送受信装置４００で選局された受信サービス領域を特定する情報が記憶される。
【０１４９】
制御部４２０は、全体制御部１２１と、受信不可検出部１２２と、選局制御部４２３と、を有し、実施の形態１と比較して、選局制御部４２３が異なっているため、以下、選局制御部４２３に関連する事項について説明する。
【０１５０】
選局制御部４２３は、実施の形態１と同様の処理を行うほか、視聴する放送局を切り替える毎に、切替後の放送局の受信サービス領域を特定する情報を、直前領域情報テーブル４１６ａの選局中の放送局の受信サービス領域欄４１６ｂに格納し、切替後の放送局の受信サービス領域を特定する情報を、前回選局した放送局の受信サービス領域欄４１６ｃに格納する。
【０１５１】
また、選局制御部４２３は、受信不可検出部１２２から受信不可通知を受けた場合には、前回切り替えた受信サービス領域の付近にデジタル放送受信装置４００が存在しているか否かを判定し、前回切り替えた受信サービス領域の付近にデジタル放送受信装置４００が存在していると判断した場合には、前回切り替えた受信サービス領域における系列局を検索し、このような系列局からの信号を受信することができる場合には、このような系列局に選局を切り替える。
【０１５２】
図２４及び図２５は、デジタル放送装置４００における選局制御部４２３での処理を示すフローチャートである。
【０１５３】
図２４に示すステップＳ１７０からステップＳ１８５は、実施形態１のステップＳ１０からステップＳ２５（図５参照）と同様である。ただし、ステップＳ１７２及びステップＳ１８２では、選局制御部４２３は、直前領域情報テーブル４１６ａにおいて、切替後の放送局の受信サービス領域を特定する情報を選局中の放送局の受信サービス領域欄４１６ｂに格納し、切替前の放送局の受信サービス領域を特定する情報を前回選局した放送局の受信サービス領域欄４１６ｃに格納する。また、ステップＳ１８４では、選局制御部４２３は、受信不可検出部１２２から受信不可通知を受信した場合には、「現状受信可状態」ではないと判断し（Ｓ１８４でＮｏ）、ステップＳ１８６に進む。
【０１５４】
ステップＳ１８６では、選局制御部４２３は、前エリアの境界付近であるか否かを判定する。そして、選局制御部４２３は、前エリアの境界付近であると判断した場合（ステップＳ１８６でＹｅｓ）にはステップＳ１８７に進み、前エリアの境界付近ではないと判断した場合（ステップＳ１８６でＮｏ）にはステップＳ１７５に進む。
【０１５５】
ここで、選局制御部４２３は、受信不可検出部１２２より系列局ｎｊからの受信信号の受信状態を取得しており、系列局ｎｊに切り替わってから「現状受信不可直前状態」より「現状受信不可状態」に１度でも抜け出したことがない場合には、前エリアの境界付近であると判断し、系列局ｎｊに切り替わってから「現状受信不可直前状態」から「現状受信不可状態」に１度でも抜け出したことがある場合には、前エリアの境界付近ではないと判断する。
【０１５６】
ステップＳ１８７では、選局制御部４２３は、直前領域情報テーブル４１６ａにおいて、前回選局した放送局の受信サービス領域欄４１６ｃより切替前の放送局の受信サービス領域を特定する情報を取得する。そして、選局制御部４２３は、系列局の優先度を示すインデックスｊを１に初期化して（Ｓ１８８）、ステップＳ１７８に戻り、切替前の放送局の受信サービス領域における系列局を検索する。
【０１５７】
また、選局制御部４２３は、ステップＳ１７６において、インデックスｉで特定される優先度の受信サービス領域を特定する情報が格納されていない場合（ステップＳ１７６でＮｏ）には、図２５のステップＳ１８９に進み、受信周波数の全体域を順に系列局となる放送局のチャンネルサーチを行う。
【０１５８】
ここで、ステップＳ１８９からステップＳ１９７までの処理は、実施の形態１のステップＳ２６からステップＳ３４（図６参照）までの処理と同様である。ただし、ステップＳ１９７において、選局制御部４２３は、受信不可検出部１２２から受信不可通知を受信した場合には、「現状受信可状態」ではないと判断し（Ｓ１９７でＮｏ）、ステップＳ１９８に進む。
【０１５９】
ステップＳ１９８では、選局制御部４２３は、前エリアの境界付近であるか否かを判定する。そして、選局制御部４２３は、前エリアの境界付近であると判断した場合（ステップＳ１９８でＹｅｓ）にはステップＳ１９９に進み、前エリアの境界付近ではないと判断した場合（ステップＳ１９８でＮｏ）にはステップＳ２０１に進む。
【０１６０】
ステップＳ１９９では、選局制御部４２３は、直前領域情報テーブル４１６ａにおいて、前回選局した放送局の受信サービス領域欄４１６ｃより切替前の放送局の受信サービス領域を特定する情報を取得する。そして、選局制御部４２３は、系列局の優先度を示すインデックスｊを１に初期化して（Ｓ２００）、図２４のステップＳ１７８に戻り、切替前の放送局の受信サービス領域における系列局を検索する。
【０１６１】
一方、ステップＳ２０１では、選局制御部４２３は、インデックスｉ及びインデックスｊを１に初期化する。そして、選局制御部４２３は、図２４のステップＳ１７６に戻り処理を繰り返す。
【０１６２】
本実施の形態４によれば、選局した系列局の受信エリア領域の境界付近が、直前に視聴していた放送局の受信エリア領域の境界であり、選局した系列局が「現状受信不可状態」となった場合には、直前に視聴していた放送局の受信エリア領域で優先して系列局を検索するようにしたため、受信エリア領域の境界付近での受信信号が不安定な際にも、「現状受信可状態」である放送局を検出することができ、受信周波数の全帯域をスキャンして系列局をチャンネルサーチする機会を減らすことができるため、その結果番組視聴が中断される時間を短縮させることができる。
【０１６３】
なお、上述した実施の形態４は、実施の形態１に対して適用した例を示したが，このような態様に限定されず、実施の形態２及び実施の形態３に対しても同様に適用可能である。
【符号の説明】
【０１６４】
１００，２００，３００，４００：デジタル放送受信装置、１０１：チューナ部、１０２：デマルチプレクス部、１０３：デコード部、１０４：映像表示部、１０５：音声出力部、１１０，２１０，４１０：記憶部、１１１：系列局記憶部、１１２：切替履歴記憶部、１１３：受信局記憶部、１１４：受信サービス領域記憶部、２１５：隣接地域記憶部、４１６：直前領域記憶部、１２０，２２０，３２０，４２０：制御部、１２１：全体制御部、１２２：受信不可検出部、１２３，２２３，３２３，４２３：選局制御部。
【図１】
0005542417.tif 000002
【図２】
0005542417.tif 000003
【図３】
0005542417.tif 000004
【図４】
0005542417.tif 000005
【図５】
0005542417.tif 000006
【図６】
0005542417.tif 000007
【図７】
0005542417.tif 000008
【図８】
0005542417.tif 000009
【図９】
0005542417.tif 000010
【図１０】
0005542417.tif 000011
【図１１】
0005542417.tif 000012
【図１２】
0005542417.tif 000013
【図１３】
0005542417.tif 000014
【図１４】
0005542417.tif 000015
【図１５】
0005542417.tif 000016
【図１６】
0005542417.tif 000017
【図１７】
0005542417.tif 000018
【図１８】
0005542417.tif 000019
【図１９】
0005542417.tif 000020
【図２０】
0005542417.tif 000021
【図２１】
0005542417.tif 000022
【図２２】
0005542417.tif 000023
【図２３】
0005542417.tif 000024
【図２４】
0005542417.tif 000025
【図２５】
0005542417.tif 000026